(57)【要約】      （修正有）【課題】ホック類とその共布を排除して、上半身後背部と下半身後背部を分離して、下半身身頃をずり下げて臀部及び股が露出でき、用便時の脱着を容易にして、上半身後背部の身頃をずり上がりから防止するボディースーツの提供。【解決手段】胸部及び胴部を覆う上身頃と、独立した、腰部を覆い両脚部を有する下身頃上記、胸部正面側の胸の谷間から胴部を経て腰部の下部まで、型を定めぬ一条の生地で、重ねられた上半身下辺部と下半身上辺部の正面側の一部を縫い付けて上下一体化している。上下を正面の一部で一体化された後背部は、上身頃下辺部を内側にし、下身頃上辺部を外側にして重畳的に重ねられており、上身頃下辺部と下身頃上辺部に着脱自在に係止する装置を備え、それにより重畳的に重ねられた上半身部と下半身部を分離させ、下身頃をずり下げて臀部及び股を露出させる事が出来る構造としている。【選択図】図１
0003122445.tif 000002
【実用新案登録請求の範囲】
【請求項１】
一体となる後背部まで覆われた胸部と後背部まで覆われた胴部までの上半身身頃と、後背部まで覆われた腰部と両脚部を有する下半身身頃からなり、上記、上下両身頃を正面部分で一体化させ、上下両身頃の脇から後背にかけて、後ろ身頃は重畳的に分離させるボディースーツ。
【請求項２】
上記上半身正面側の胸の谷間から胴部を経て下半身腰部中央の端に至迄一条の生地で正面の上下身頃を一体化して縫い付けて、重畳的に離れた上半身後ろ胴部身頃を下半身後ろ腰部身頃の内側にいれ込み、全体を一体化させ両脚部、膝まで構成している，請求項１のボディースーツ。
【請求項３】
着用時に上半身胸部及び胴部と、腹部後背にて重畳分離している、腰部を覆い両脚部を有する下身頃は互いに、上身頃後ろ下辺部、と下身頃後ろ上辺部に着脱自在に係止する事を特徴と  する請求項１の  ボディースーツ。
【請求項４】
用便時には硬質状のホック類と、それを備える布状類を排除して、重畳的に重ねられた上半身後背部と下半身後背部を分離させ、下半身身頃をずり下げて臀部及び股を露出できる請求項３のボディースーツ。
【考案の詳細な説明】
【技術分野】
【０００１】本考案は、一般的に付いている、股の硬質ホックを排除したボディースーツに関する。
【背景技術】
【０００２】従来のボディースーツは、後背部まで覆われた胸部と後背部まで覆われた腹部迄の上半身と、後背部まで覆われた腰部の下半身とのすべてが連続して一体化しているものです。【０００３】従来のボディースーツは、用便時には、後背部まで覆われた腰部の下半身、股の硬質ホックを備えた布地クロッチを脱着して、目的を果たした。【０００４】従来の後背部までの覆われた胸部と後背部まで覆われた腹部迄の上半身であるボディーシェーパーと後背部まで覆われた腰部の下半身であるガードルが共に、基本技術としてある。
【考案の開示】
【考案が解決しようとする課題】
【０００５】一体となる後背部まで覆われた胸部と後背部まで覆われた胴部までの上半身身頃と、後背部まで覆われた腰部と両脚部を有する下半身身頃において、上記、上下両身頃を正面部分で一体化させ、上下両身頃の脇から後背にかけて、後ろ身頃は重畳的に分離させる【０００６】重畳的に離れた上半身後ろ胴部身頃を下半身後ろ腰部身頃の内側にいれ込み、全体を一体化させ両脚部、膝まで構成している【０００７】用便時には股に具付された硬質状のホック類と、それを備える布状クロッチを排除する構成。【０００８】着用時に上半身胸部及び胴部と、腹部後背にて重畳分離している、腰部を覆い両脚部を有する下身頃は互いに、上身頃下辺部とした身頃下辺部に着脱自在に係止する事を特徴とする【０００９】用便時には硬質状のホック類と、それを備える布状クロッチを排除して、重畳的に重ねられた上半身後背部と下半身後背部を分離させ、下半身身頃をずり下げて臀部及び股を露出できる事が特徴とする。
【課題を解決するための手段】
【００１０】上半身正面側の胸の谷間から胴部を経て下半身腰部中央の端に至る迄一条の生地を正面の上下身頃を一体化して縫い付けている全身中央部で一体している構造。【００１１】上半身、身頃後ろ下辺部、と腰部下身頃後ろ上辺部に着脱自在に互いに係止して、上半身、身頃後ろ下辺部、と腰部下身頃は重畳的に分離している事を特徴とする。【００１２】用便時には、重畳的に重ねられた上半身後背部下部と下半身後背部上部を分離させ、下半身身頃をずり下げて臀部及び股を露出できるのが特徴。
【考案の効果】
【００１３】用便時には従来のボディースーツでは不可避な不快で不便なホック類の開閉とクロッチの跳ね上がりが無く、ホック類とその共布を排除して、上半身後背部と下半身後背部を分離して、下半身身頃をずり下げて臀部及び股が露出でき、用便時の脱着が容易になる。【００１４】上身頃後ろ下辺部、と下身頃後ろ上辺部に着脱自在に係止する事により、上下身頃のずれを防ぎ、上身頃のずり上りも防ぐのが特徴。
【考案を実施するための最良の形態】
【００１５】以下、本考案の実施の形態を図１〜図４に基づいて説明する。【００１６】図１において、１Ａ・１Ｂ・２Ａは上身頃胸部で、２Ａ・２Ｂと連続して一体して身頃を形成している。【００１７】図１において、３Ａは下半身腰部で、３Ｂ両脚部と連続して一体して、下身頃を形成している。【００１８】図１において、４Ａ・４Ｂは、１Ａと１Ｂの上身頃胸部谷間の上部先端から４Ｂの下身頃先端まで一条の生地にて形成されており、上身頃腰部下辺部２Ｂ・下身頃腰部上辺部３Ａが重畳的に重ねられている部分を密着縫い合わせて、正面中央部を形成している。【００１９】図１において、上身頃の２Ａ・２Ｂと下身頃の３Ａ・３Ｂは、腰部正面中央の一部で４Ａ・４Ｂにより一体化され、腰部の後背部は重畳分離されて形成している。【００２０】図２において、５は着脱自在の平面ファスナー形態で係止する特徴を持つ部品を、上身頃後背腰部下辺部２Ｂと下身頃後背腰部上辺部３Ａにそれぞれ互いに縫い付け着脱自在になる様に形成される。【００２１】図３において、用便時には着脱自在に係止された部分５を剥離させ、上身頃後背腰部２Ａ・２Ｂから３Ａ・３Ｂの下身頃後背部を引き離しずり下ろし、臀部を露出可能にする事が出来る様に形成してる。【００２２】図４において和式の用便時のときにても、００２１に示したと同じく可能に形成している。
【図面の簡単な説明】
【００２３】
【図１】    本考案の実施形態に係るボディースーツの正面側斜視図である。
【図２】    図１に示すボディースーツの背面側斜視図である。
【図３】    図１に示す本考案の実施形態に係るボディースーツの洋式便所の用便時の状態を示す側面図である。
【図４】    図１に示す本考案の実施形態に係るボディースーツの和式便所の用便時の状態を示す側面図である。
【符号の説明】
【００２４】１Ａ    胸部の右カップである
１Ｂ    胸部の左カップである
２Ａ    上半身の上身頃である
２Ｂ    上半身の下身頃である
３Ａ    下半身腰部である
３Ｂ    下半身両脚部である
４Ａ    一条の布にて一体化された上半身上部である
４Ｂ    一条の布にて一体化された下半身腰部である
５      着脱自在の平面ファスナー形態の係具である
【図１】
0003122445.tif 000003
【図２】
0003122445.tif 000004
【図３】
0003122445.tif 000005
【図４】
0003122445.tif 000006